(57)【要約】      （修正有）【課題】小型のハイファイスピーカにおいて、安価なフェライトマグネットを磁気回路に使用すると、ネオジウムマグネットを磁気回路に使用したものに比べて磁気回路が大型となり、これに合わせてフェースプレートが大きくなり、これに伴いスピーカキャビネットも大きくなってしまった。安価なフェライトマグネットを磁気回路に使用しながらも、小さなフェースプレート表面を持ち、特性や音質を損なうことなく小型のスピーカキャビネットに取り付ける事が可能なドームツイータを提供する。【解決手段】フェースプレート表面がフェースプレートマウント部９ａより前面に飛び出ており、このドームツイータをバッフルの背面から取り付けた時、ドームツイータのフェースプレート表面９ｃがバッフルの表面と同一面か少し前面に出るような高さとなるフェースプレート凸部９ｂを持つ。【選択図】図９
0003171603.tif 000002
【実用新案登録請求の範囲】
【請求項１】
フェライトマグネットを使用したドームツイータにおいて、バッフルの裏面から取り付けた時、フェースプレートの表面がバッフルの表面と同一面か少し前面に出ることを可能としたフェースプレート形状を持つドームツイータ。
【考案の詳細な説明】
【技術分野】
【０００１】  本発明は、ドームツイータに関するものである。
【背景技術】
【０００２】  ドームツイータは振動板の口径が小さく、高音域を良い音質で再生することが出来る為、ハイファイスピーカでは広く使用されている。又、スピーカシステムの小型化は時代の趨勢であり、この為に小型スピーカ用ドームツイータも小さなフェースプレートを持つドームツイータが使用されるようになった。一方ツイータはバッフル面より凹むとバッフルにより生じたツイータ前の空洞やその周りの壁により特性を乱される事から、ハイファイスピーカのツイータの取り付けは、フェースプレートがバッフル面と同じ高さか、若干フェースプレートがバッフルより前面に出るように、ツイータをバッフル前面から取り付けるのが一般的であった。又、ドームツイータはコーンツイータやホーンツイータと比べると能率が低くなりやすい為、磁気回路には強力なマグネットを必要とすることから、小型スピーカには小さくても強力なネオジウムマグネットを使用し、磁気回路を小型化した上で、フェースプレートを小さくしたドームツイータをキャビネット前面からネジ止めするのが一般的となった。図１にネオジウムマグネット使用ドームツイータ（１）をバッフル（２）の前面から取り付けた、一般の小型ハイファイスピーカシステムを前面から見た図を、図２に同断面図を示す。ネオジウムマグネット使用ドームツイータのフェースプレート（３）外形は小型である為、スピーカシステムの外形も小さい。
【考案の概要】
【考案が解決しようとする課題】
【０００３】ネオジウムマグネットは強力であるが希少金属であるネオジウムを多く使用することから、フェライトマグネットと比較すると小型に出来るが非常に高価である。しかし、代わりにフェライトマグネットを使用すると、磁気回路が大きくなり、これに伴いフェライトマグネット使用ドームツイータ（４）の同フェースプレート（５）は外形が大きくなった。このツイータをバッフル（２）の前面から取り付けて使用すると、ツイータ取り付け面を確保する為にスピーカキャビネットも大きくせざるを得なかった。図３にフェライトマグネット使用ドームツイータ（４）をバッフル（２）の前面から取り付けた場合のスピーカシステムを前面から見た図を、図４に同断面図を示す。【０００４】このキャビネットが大きくなる事を避ける為、図５及び図６のように、フェライトマグネット使用ドームツイータ（４）をバッフル（２）の背面から取り付けると、バッフル（２）により生じたツイータ前の空洞（６）やその空洞周りの壁（７）によりツイータの特性が乱され、高音質の小型スピーカを作るのが困難となった。
【課題を解決するための手段】
【０００５】フェライトマグネットを用いた磁気回路（１０）をもつドームツイータのフェースプレート表面（９ｃ）がフェースプレートマウント部（９ｂ）より前面に飛び出ており、このドームツイータをバッフル（２）の背面から取り付けたとき、フェースプレート表面（９ｃ）がバッフル（２）の表面と同一面か少し前面に出るような高さのフェースプレート凸部（９ａ）を持つ。本考案は、以上の構成よりなるドームツイータである。
【考案の効果】
【０００６】本考案のドームツイータは安価なフェライトマグネットを使用しているが、ツイータをバッフル（２）の背面から取り付けることにより、バッフル（２）の表面に出るフェースプレート表面（９ｃ）の寸法を小さくする事が出来、これに伴いスピーカシステムの外形を小型に出来る。【０００７】  又、フェースプレート表面（９ｃ）はバッフル（２）と同一面か少し前面に出ているので、ツイータ前の空洞（６）や空洞周りの壁（７）が無く、これらによりツイータの特性が乱される事なく、高音質を保てる。
【図面の簡単な説明】
【０００８】
【図１】一般の小型ハイファイスピーカシステムを前面から見た図
【図２】一般の小型ハイファイスピーカシステムの断面図
【図３】フェライトマグネット使用ドームツイータを用いた一般の小型ハイファイスピーカシステムを前面から見た図
【図４】フェライトマグネット使用ドームツイータを用いた一般の小型ハイファイスピーカシステムの断面図
【図５】フェライトマグネット使用ドームツイータをバッフル背面から取り付けた場合の小型ハイファイスピーカシステムを前面から見た図
【図６】フェライトマグネット使用ドームツイータをバッフル背面から取り付けた場合の小型ハイファイスピーカシステムの断面図
【図７】本考案のドームツイータをバッフル背面から取り付けた場合の小型ハイファイスピーカシステムを前面から見た図
【図８】本考案のドームツイータをバッフル背面から取り付けた場合の小型ハイファイスピーカシステムの断面図
【図９】本考案のドームツイータを前方から見た斜視図
【図１０】本考案のドームツイータを後方から見た斜視図
【考案を実施するための形態】
【０００９】  以下、考案の実施例を説明する。
本考案のドームツイータ（８）は図９及び図１０のようにフェライトマグネットを用いた磁気回路（１０）をもち、フェースプレート表面（９ｃ）がフェースプレートマウント部（９ｂ）より前面に飛び出ており、このドームツイータを図７及び図８のようにバッフル（２）の背面から取り付けたとき、本考案のドームツイータのフェースプレート（９）のフェースプレート表面（９ｃ）がバッフル（２）の表面と同一面か少し前面に出るような高さとなるフェースプレート凸部（９ａ）を持つ。これにより、バッフル（２）の表面に出るフェースプレート表面（９ｃ）の寸法を小さくする事が出来、これに伴いスピーカシステムの外形を小型に出来る。又、フェースプレート表面（９ｃ）はバッフル（２）と同一面か少し前面に出ているので、ツイータ前の空洞（６）や空洞周りの壁（７）が無く、これらによりツイータの特性が乱される事なく、高音質を保てる。
【符号の説明】
【００１０】  １  ネオジウムマグネット使用ドームツイータ
２  バッフル
３  ネオジウムマグネット使用ドームツイータのフェースプレート
４  フェライトマグネット使用ドームツイータ
５  フェライトマグネット使用ドームツイータのフェースプレート
６  ツイータ前の空洞
７  空洞周りの壁
８  本考案のドームツイータ
９  本考案のドームツイータのフェースプレート
９ａ  フェースプレートマウント部
９ｂ  フェースプレート凸部
９ｃ  フェースプレート表面
１０  フェライトマグネットを用いた磁気回路
【図１】
0003171603.tif 000003
【図２】
0003171603.tif 000004
【図３】
0003171603.tif 000005
【図４】
0003171603.tif 000006
【図５】
0003171603.tif 000007
【図６】
0003171603.tif 000008
【図７】
0003171603.tif 000009
【図８】
0003171603.tif 000010
【図９】
0003171603.tif 000011
【図１０】
0003171603.tif 000012